(57)【要約】      （修正有）【課題】常に安定したカシメ止めが簡単容易にかつ自動的に行える自動ナットカシメ機を提供する。【解決手段】自動ナットカシメ機は、軸状本体１１の先端側中心部に、ねじ軸の先端中心に形成されたプラス孔に係合離脱可能なプラス先端部１２ａを有する中心軸部１２を設ける。軸状本体１１の先端側に、プラス孔にプラス先端部が係合した状態において中心軸部を中心として半径方向に延びる保持部１３を設ける。保持部１３内に、半径方向にのみ摺動可能で半径方向内方への摺動によりナットのリング部を変形してねじ軸の溝内にカシメ止めするカシメ体１４を支持する。保持部１３内に軸方向に往復移動可能に支持され、かつ軸方向先端側への移動によりカシメ体１４を半径方向内方へ摺動させるテーパー先端部１５ａを有する押込体１５を内装し、かつ、押込体１５を、回転駆動軸１６を有する連動機構１７を介して軸方向に往復移動させる正逆転駆動モータを設ける。【選択図】図２
0003169882.tif 000002
【実用新案登録請求の範囲】
【請求項１】
ナットの端面に一体に突設形成されている変形可能なリング部を、ねじ軸の端部に設けられている溝内に自動的にカシメ止めする自動ナットカシメ機であって、軸状本体の先端側中心部に、上記ねじ軸の先端中心に形成されたプラス孔に係合離脱可能なプラス先端部を有する中心軸部を設けると共に、軸状本体の先端側に、上記プラス孔にプラス先端部が係合した状態において中心軸部を中心としてねじ軸の溝と同位相で半径方向に延びる保持部を設ける一方、この保持部内に、半径方向にのみ摺動可能で半径方向内方への摺動によりナットのリング部を変形してねじ軸の溝内にカシメ止めするカシメ体を支持すると共に、保持部内に軸方向に往復移動可能に支持され、かつ軸方向先端側への移動によりカシメ体を半径方向内方へ移動させるテーパー先端部を有する押込体を内装し、かつ、押込体を、回転駆動軸を有する連動機構を介して軸方向に往復移動させる正逆転駆動モータを備えていることを特徴とする自動ナットカシメ機。
【請求項２】
回転駆動軸を有する連動機構を、正逆転駆動モータにより回転されかつウォームをもつ回転駆動軸と、ウォームに噛み合うラックを有する押込体とから構成したことを特徴とする請求項１記載の自動ナットカシメ機。
【請求項３】
軸状本体の先端部に保持体とカシメ体と押込体と回転駆動軸を有する連動機構とからなるカシメ手段を、所定間隔を置いて複数個設けたことを特徴とする自動ナットカシメ機。
【考案の詳細な説明】
【技術分野】
【０００１】  本考案は、ナットのねじ軸への締結後、ナットをねじ軸にカシメて回り止めするための自動ナットカシメ機に関するものである。
【背景技術】
【０００２】  従来、たとえば自動車のタイヤを固定するナットのねじ軸に対する緩みを防止する手段として、ナットをねじ軸にカシメ止めするようにしたものが知られている。【０００３】  その場合、たとえば図６及び図７に示すようにナット２の端面に一体に突設形成されている変形可能なリング部ａにタガネを当てて、ハンマーで叩きリング部ａを内方へ変形させてねじ軸１の端部に設けられている溝ｂ内に係合させてカシメ止めしている。
【考案の概要】
【考案が解決しようとする課題】
【０００４】  ところが、上記したタガネを用いた方法によると、叩き具合によってカシメ具合一定せず、緩み止め作用にバラツキが生ずる問題があり、また、強く叩き過ぎるとリング部ａを破損するといったこともあった。さらに、ねじ軸１の端部に複数の溝ｂを設けて、これらの溝ｂ内にナット２におけるリング部ａの複数個所をカシメ止めする場合には、各箇所において個別にカシメ作業を行うため手間で時間がかかる問題を有していた。【０００５】  そこで本考案は、上記のような問題点を解消し、常に安定したカシメ止めが簡単容易にかつ自動的に行える自動ナットカシメ機の提供を課題とする。
【課題を解決するための手段】
【０００６】  上記した問題を解決するため、本願の請求項１記載の考案は、ナットの端面に一体に突設形成されている変形可能なリング部を、ねじ軸の端部に設けられている溝内に自動的にカシメ止めする自動ナットカシメ機であって、軸状本体の先端側中心部に、上記ねじ軸の先端中心に形成されたプラス孔に係合離脱可能なプラス先端部を有する中心軸部を設けると共に、軸状本体の先端側に、上記プラス孔にプラス先端部が係合した状態において中心軸部を中心としてねじ軸の溝と同位相で半径方向に延びる保持部を設ける一方、この保持部内に、半径方向にのみ摺動可能で半径方向内方への摺動によりナットのリング部を変形してねじ軸の溝内にカシメ止めするカシメ体を支持すると共に、保持部内に軸方向に往復移動可能に支持され、かつ軸方向先端側への移動によりカシメ体を半径方向内方へ移動させるテーパー先端部を有する押込体を内装し、かつ、押込体を、回転駆動軸を有する連動機構を介して軸方向に往復移動させる正逆転駆動モータを備えていることを特徴とする。【０００７】  また、本願の請求項２記載の考案は、請求項１記載の構成における回転駆動軸を有する連動機構を、正逆転駆動モータにより回転されかつウォームをもつ回転駆動軸と、ウォームに噛み合うラックを有する押込体とから構成したことを特徴とする。【０００８】  さらに、本願の請求項３考案は、請求項２記載の構成において、軸状本体の先端部に保持体とカシメ体と押込体と回転駆動軸を有する連動機構とからなるカシメ手段を、所定間隔を置いて複数個設けたことを特徴とする。
【考案の効果】
【０００９】  上記した自動ナットカシメ機によれば、ナットのねじ軸への所定トルクでの締結後、ねじ軸の先端中心に形成されたプラス孔に自動ナットカシメ機のプラス先端部を差し込んで係合し、カシメ体をねじ軸の溝に位置合わせした係合状態のもとで正逆転モータを正回転させることにより、回転駆動軸を有する連動機構を介して押込体を軸方向先端側に移動させ、この押込体によりカシメ体を半径方向内方へ摺動させて、カシメ体でナットのリング部を所定の加圧力で変形してねじ軸１の溝内に圧入し自動的にカシメ止めすることができる。その結果、カシメ体によるカシメ具合を一定化でき、緩み止め作用にバラツキ発生をなくして確実な緩み止め効果が得られる。その上、強く叩き過ぎてリング部を破損するといった問題もなくすることができる。【００１０】  また、回転駆動軸を有する連動機構を、正逆転駆動モータにより回転されかつウォームをもつ回転駆動軸と、ウォームに噛み合うラックを有する押込体とから構成すれば、構造簡単でコンパクトにできるのでこのましい。【００１１】  さらに、軸状本体の先端部に保持体とカシメ体と押込体と回転駆動軸を有する連動機構とからなるカシメ手段を、所定間隔を置いて複数個設けると共に、ねじ軸の端部に複数の溝を設けるようにすれば、これらの溝内にナットにおけるリング部の複数個所をカシメ止めする場合、複数の箇所において同時にカシメ作業を行うことができるので、カシメ作業の手間や時間を少なくすることができる。
【図面の簡単な説明】
【００１２】
【図１】本考案に係る自動ナットカシメ機のカシメ直前の一部省略縦断面図である。
【図２】同自動ナットカシメ機のカシメ直後の一部省略縦断面図である。
【図３】本考案に係る自動ナットカシメ機の一部切欠正面図である。
【図４】同底面図である。
【図５】ねじ軸にナットをカシメ止めした状態の平面図である。
【図５】従来の説明図である。
【図６】同リング部付きナットの説明図である。
【考案を実施するための形態】
【００１３】  以下本考案の実施の形態を図に基づいて説明する。
【００１４】  図１及び図２において、１はねじ軸であり、その先端部には、プラス孔１ａと、カシメ用の溝１ｂ，１ｂが外周の複数箇所（図示していないが１８０度の角度をおいて２箇所）に設けられている。また、２はねじ軸１に螺合されるナットであり、その端面には、変形可能なリング部２ａが一体に突設形成されている。
【００１５】  図３及び図４は本考案に係る自動ナットカシメ機１０を示し、該カシメ機１０は軸状本体１１の先端側中心部に、上記ねじ軸１の先端中心に形成されたプラス孔１ａに係合離脱可能なプラス先端部１２ａを有する中心軸部１２を設けると共に、軸状本体１１の先端側に、上記プラス孔１ａにプラス先端部１２ａが係合した状態において中心軸部１２を中心としてねじ軸１の溝１ｂ，１ｂと同位相で半径方向に延びる保持部１３，１３を左右対称に設ける一方、この保持部１３，１３内に半径方向にのみ摺動可能で、半径方向内方への摺動によりナット２のリング部２ａを変形してねじ軸１の溝１ｂ，１ｂ内にカシメ止めするカシメ体１４，１４を支持すると共に、保持部１３，１３内に軸方向に移動可能に支持され、かつ軸方向先端側への移動によりカシメ体１４，１４を半径方向内方へ摺動させるテーパー先端部１５ａを有する押込体１５，１５を備え、かつ、押込体１５，１５を、回転駆動軸１６，１６を有する伝動機構１７，１７を介して軸方向に往復移動させる正逆転モータ１８を備えている。この正逆転モータ１８は図示しない操作レバーの操作によりオン・オフされる。また、カシメ体１４の前端面はアール状１４ａに形成され、後端面は、押込体１５のテーパー先端部１５ａと符合するテーパー背面部１４ｂが形成されている。また、このカシメ体１４は図示していないが、常時はバネ等により開放へ付勢させておき、押圧体の軸方向後方への移動に伴って自動的に半径方向外方へ復帰移動させるのがこのましい。
【００１６】  回転駆動軸１６を有する連動機構１７としては、正逆転駆動モータにより回転される回転駆動軸の先端に設けたウォーム１７ａと、押込体１５の内面に形成された上記ウォーム１７ａに噛み合うラック１５ｂとから構成されている。
【００１７】  次に、上記した自動ナットカシメ機の作用について説明する。
【００１８】  ナット２のねじ軸１への所定の締め付けトルクによる締結後該ナット２をねじ軸１にカシメ止めするには、まず、図１に示すようにねじ軸１のカシメ用溝１ａ，１ａと、自動ナットカシメ機１０のカシメ体１４，１４が概ね符合するように位置合わせした状態でねじ軸１の先端中心に形成されたプラス孔１ａに自動ナットカシメ機１０のプラス先端部１２ａを差し込んで係合する。すると、プラス孔１ａへのプラス先端部１２ａへの係合により、ねじ軸１のカシメ用溝１ｂ，１ｂと、自動ナットカシメ機１０のカシメ体１４，１４とがねじ軸１の半径方向において自動的に一致するように位置決めされる。
【００１９】  次に、その係合状態のもとで、正逆転モータ１８を正回転させることにより、回転駆動軸１６，１６を有する連動機構１７，１７を介して押込体１５，１５を軸方向先端側に移動させる。この押込体１５，１５の先端側への移動により押込体１５，１５がカシメ体１４，１４を半径方向内方へ摺動させる。このカシメ体１４，１４の内方への移動で図５に示すようにナット２のリング部２ａ，２ａを所定の加圧力で変形してねじ軸１の溝１ｂ，１ｂ内に圧入し自動的にカシメ止めする。
【００２０】  その結果、カシメ体１４，１４によるカシメ具合を一定化でき、緩み止め作用にバラツキ発生をなくして確実な緩み止め効果が得られる。その上、強く叩き過ぎてリング部２ａを破損するといった問題もなくすることができる。さらに、ねじ軸１の端部に複数の溝１ｂ，１ｂを設けて、これらの溝１ｂ，１ｂ内にナット２におけるリング部２ａの複数個所をカシメ止めする場合、複数の箇所において同時にカシメ作業を行うことができるので、カシメ作業の手間や時間を少なくすることができる。
【００２１】  上記した実施の形態では、軸状本体１１の先端部に、保持体１３とカシメ体１４と押込体１５と回転駆動軸１６を有する連動機構１７とからなるカシメ手段を１８０度の角度をおいて左右対称に二箇所設けるようにしたけれども、カシメ手段は二箇所に限らず一箇所であってもよいし、二箇所以上であってもよい。
【符号の説明】
【００２２】１        自動ナットカシメ機
１１      軸状本体
１２      中心軸部
１２ａ    プラス先端部
１３      保持部
１４      カシメ体
１５      押込体
１５ａ    テーパー先端部
１６      回転駆動軸
１７      連動機構
１８      正逆転駆動モータ
【図１】
0003169882.tif 000003
【図２】
0003169882.tif 000004
【図３】
0003169882.tif 000005
【図４】
0003169882.tif 000006
【図５】
0003169882.tif 000007
【図６】
0003169882.tif 000008
【図７】
0003169882.tif 000009
【手続補正書】
【提出日】平成23年5月31日(2011.5.31)
【手続補正１】
【補正対象書類名】実用新案登録請求の範囲
【補正対象項目名】全文
【補正方法】変更
【補正の内容】
【実用新案登録請求の範囲】
【請求項１】
ナットの端面に一体に突設形成されている変形可能なリング部を、ねじ軸の端部に設けられている溝内に自動的にカシメ止めする自動ナットカシメ機であって、軸状本体の先端側中心部に、上記ねじ軸の先端中心に形成されたプラス孔に係合離脱可能なプラス先端部を有する中心軸部を設けると共に、軸状本体の先端側に、上記プラス孔にプラス先端部が係合した状態において中心軸部を中心としてねじ軸の溝と同位相で半径方向に延びる保持部を設ける一方、この保持部内に、半径方向にのみ摺動可能で半径方向内方への摺動によりナットのリング部を変形してねじ軸の溝内にカシメ止めするカシメ体を支持すると共に、保持部内に軸方向に往復移動可能に支持され、かつ軸方向先端側への移動によりカシメ体を半径方向内方へ移動させるテーパー先端部を有する押込体を内装し、かつ、押込体を、回転駆動軸を有する連動機構を介して軸方向に往復移動させる正逆転駆動モータを備えていることを特徴とする自動ナットカシメ機。
【請求項２】
回転駆動軸を有する連動機構を、正逆転駆動モータにより回転されかつウォームをもつ回転駆動軸と、ウォームに噛み合うラックを有する押込体とから構成したことを特徴とする請求項１記載の自動ナットカシメ機。
【請求項３】
軸状本体の先端部に保持体とカシメ体と押込体と回転駆動軸を有する連動機構とからなるカシメ手段を、所定間隔を置いて複数個設けたことを特徴とする請求項２記載の自動ナットカシメ機。
【手続補正２】
【補正対象書類名】明細書
【補正対象項目名】００１２
【補正方法】変更
【補正の内容】
【００１２】
【図１】本考案に係る自動ナットカシメ機のカシメ直前の一部省略縦断面図である。
【図２】同自動ナットカシメ機のカシメ直後の一部省略縦断面図である。
【図３】本考案に係る自動ナットカシメ機の一部切欠正面図である。
【図４】同底面図である。
【図５】ねじ軸にナットをカシメ止めした状態の平面図である。
【図６】従来の説明図である。
【図７】同リング部付きナットの説明図である。